(57)【要約】【課題】靴下を履いて靴を履いたときにどのように見えるのかを確認できるとともに、複数の組合せにおける靴下と靴との調和を簡単に比較する。【解決手段】靴下展示台１０は、靴側面のイメージＳＨ、ＳＭ、ＳＬが有色で描かれた無色透明な平面プレート１００と、人の足の少なくとも側面を模した足型であって、その外面に靴下ＷＨ、ＷＭ、ＷＬを履かせるための足型２００と、靴下展示台１０の正面から見た正面視において足型２００の側面と平面プレート１００に描かれた履物側面とが略合致する状態で、かつ、足型２００の手前に平面プレート１００を立てた状態で、かつ、正面視で人の視覚により平面プレート１００を介して靴下ＷＨ、ＷＭ、ＷＬを認識できる状態で、平面プレート１００を保持する平面プレート保持機構１１０および足型２００を保持する足型保持機構２１０とを備える。【選択図】図１
0003195352.tif 000002
【実用新案登録請求の範囲】
【請求項１】
人が足に履く足被覆衣類を展示する足被覆衣類用展示台であって、
履物側面のイメージが有色で描かれた無色透明な平面プレートと、
人の足の少なくとも側面を模した足型であって、その外面に足被覆衣類を履かせるための足型と、
前記展示台の正面から見た正面視において前記足型の側面と前記平面プレートに描かれた履物側面とが略合致する状態で、かつ、前記足型の手前に前記平面プレートを立てた状態で、かつ、前記正面視で人の視覚により前記平面プレートを介して前記足被覆衣類を認識できる状態で、前記平面プレートおよび前記足型を保持する保持機構とを含む、足被覆衣類用展示台。
【請求項２】
前記平面プレートは、異なる種類の履物側面のイメージが描かれた複数の平面プレートから構成され、
前記保持機構は、前記平面プレートが、前記正面視における前記展示台の幅方向に沿って摺動可能な状態で保持する、請求項１に記載の足被覆衣類用展示台。
【請求項３】
前記足型は、異なる種類の足被覆衣類を履かせるための複数の足型から構成され、
前記保持機構は、前記足型が、前記正面視における前記展示台の幅方向に沿って摺動可能な状態で保持する、請求項１に記載の足被覆衣類用展示台。
【請求項４】
前記平面プレートは、異なる種類の履物側面のイメージが描かれた複数の平面プレートから構成され、
前記足型は、異なる種類の足被覆衣類を履かせるための複数の足型から構成され、
前記保持機構は、前記平面プレートおよび前記足型の少なくとも一方が、前記正面視における前記展示台の幅方向に沿って摺動可能な状態で保持する、請求項１に記載の足被覆衣類用展示台。
【考案の詳細な説明】
【技術分野】
【０００１】
本考案は、靴下等の足被覆衣類の展示または販売等に用いられる足被覆衣類用展示台に関し、特に、靴下等を履いてさらに様々な種類の靴等の履物を履いた場合にどのように見えるのかを簡単に確認することのできる展示台に関する。
【背景技術】
【０００２】
日本においては、暑い夏季等を除けば、多くの人が、足に靴下等の足被覆衣類を履いて過ごすことが多い。このような靴下等は、一般的な店舗または専門的な店舗にて購入することが多いが、靴下の販売等を目的とする展示において、実際に靴下等を身体に着用した場合にどのように見えるかを購入者に見せるために考えられた、展示方式および展示具ならびに展示用具および展示方法が従来から存在する。
【０００３】
たとえば、特開２００７−０４４１５０号公報（特許文献１）は、靴下等の展示物を装着した脚型をほぼＵ字形の支持部を有する支持体によって上下方向に支持することを特徴とする靴下等の展示方式、および、靴下等の展示物を装着した脚型を支持するための支持体と該支持体の取付け部材とからなり、前記支持体がほぼＵ字形の支持部を有することを特徴とする展示具を開示する。
【０００４】
この展示方式および展示具によると、人体を模した脚型を使用するので、靴下等を実際に装着した状態を見せることができる効果があり、しかも、展示具の取付け位置は任意に選ぶことができるから、見る者の目線に合わせた位置に展示物を展示することができる効果がある。
さらに、特開２０１３−２５５５２３号公報（特許文献２）は、靴下等を中心に視認することができるとともに、靴下等とズボンとの調和を確認することができる靴下等の展示用具およびそれを用いた展示方法であって、人の足の形を模して作った足型の上部に係止され、足型の外周面に履かせた靴下を視認することができるように、その周囲に少なくともズボンの裾部分を被せられるズボン固定部である筒体または柱状体を形成された、靴下等の展示用具およびそれを用いた展示方法を開示する。
【０００５】
この展示用具および展示方法によると、人の足の形を模して作った足型の上部に係止され、足型の外周面に履かせた靴下を視認することができるように、その周囲に少なくともズボンの裾部分を被せられるズボン固定部である筒体または柱状体を形成されているので、靴下等を中心に視認することができるとともに、ズボンとの調和を確認することができる。
【先行技術文献】
【特許文献】
【０００６】
【特許文献１】特開２００７−０４４１５０号公報
【特許文献２】特開２０１３−２５５５２３号公報
【考案の概要】
【考案が解決しようとする課題】
【０００７】
ところで、外出時には、靴下等を履いた状態でさらに靴等の履物を履くことが一般的である。このような場合には、靴下と靴との調和（ファッションとしてのコーディネイト等を含む）を検討したい場合がある。典型的には、たとえば、履き口の丈の短いスニーカーを履く場合に、短めの靴下を履いたとしても靴下が靴からはみ出して見えるか否か、長めの靴下を履いた場合に、スニーカーの履き口の丈によってどの程度まで靴下が靴からはみ出して見えるか否か等を検討したい場合である。
【０００８】
しかしながら、特許文献１に開示された展示方式および展示具では、靴下等を実際に装着した状態を見せることができたとしても、靴等の履物を履いたときに靴下等と靴等との調和を確認することができない。さらに、特許文献２に開示された展示用具および展示方法では、靴下等とズボンとの調和を確認することができても、靴等の履物を履いたときに靴下等と靴等との調和を確認することができない。
【０００９】
特に、特許文献２に開示された展示用具および展示方法において、ズボンを靴等に置き
換えたとしても、複数の靴下等と複数の靴等との調和を簡単に比較して確認することができない。すなわち、複数の靴下等と複数の靴等との調和を比較するためには、特許文献２に開示された展示用具における足型に靴下等を履き替えさせたり、特許文献２に開示された展示用具におけるズボン固定具に（靴に対応する）ズボンを固定しなおさなければならないか、または、多くの足型および靴下等ならびに多くのズボン固定具およびズボンの裾部分を備えておく必要がある。前者では簡単に比較することができず、後者では簡単に比較することができないことに加えて大きなスペースを必要とする。
【００１０】
本考案は、従来技術の上述の問題点に鑑みて開発されたものであり、その目的とするところは、靴下等の足被覆衣類の展示に好適に用いられ、靴下等の足被覆衣類を履いて靴等の履物を履いたときにどのように見えるのかを確認できるとともに、複数の組合せにおける靴下等の足被覆衣類と靴等の履物との調和を簡単に比較することのできる、足被覆衣類用展示台を提供することを目的とする。
【００１１】
なお、本考案に係る展示台が好適に適用される足被覆衣類には、靴下のみならず、パンティーストッキングおよびタイツ（これらの一部（足首より先の部分やパンティ部等）を欠落させた、スパッツ、レギンスおよびトレンカ等と呼ばれるものを含む）、爪先と踵を含む足底とを被覆するとともに足甲および足首を露出するフットカバー（ソックスカバー、インナーソックス、ヌードソックス、カバーソックス等と呼ばれるもの）を含む。なお、本考案に係る展示台が好適に適用される足被覆衣類の一例である靴下の丈の長さは特に限定されるものではないために、本考案に係る展示台が好適に適用される足被覆衣類の一例である靴下には、ハイソックス（膝下くらいまでの長さ）、スリークォーターソックス（ふくらはぎくらいまでの長さ）、ブーツソックス（ふくらはぎ中央くらいまでの長さ）、クルーソックス（ロークルーソックスよりもやや長い）、ロークルーソックス（最も一般的な靴下）、アンクレット（足首くらいまでの長さの靴下）、スニーカーソックス（ステップインソックスやベリーショートソックスと呼ばれ長さがとても短いのが特徴の靴下）等を含む。
【００１２】
さらに、本考案に係る展示台が好適に適用される履物には、スニーカーや革靴等の一般的な靴のみならず、ハイヒール、パンプス、ミュール、ブーツ、サンダル、スリッパ等を含む。なお、本考案に係る展示台が好適に適用される履物の一例である靴の履き口の高さは特に限定されるものではないために、本考案に係る展示台が好適に適用される履物の一例である靴には、くるぶし（踝）程度か少し上までの丈の靴（運動靴であればミドルカットスニーカー）ならびにそれよりも丈の短い靴（運動靴であればローカットスニーカー）およびそれよりも丈の長い靴（運動靴であればハイカットスニーカー）を含む。
【課題を解決するための手段】
【００１３】
上記目的を達成するため、本考案の足被覆衣類用展示台は以下の技術的手段を講じている。
すなわち、本考案の足被覆衣類用展示台は、人が足に履く足被覆衣類を展示する足被覆衣類用展示台であって、履物側面のイメージが有色で描かれた無色透明な平面プレートと、人の足の少なくとも側面を模した足型であって、その外面に足被覆衣類を履かせるための足型と、前記展示台の正面から見た正面視において前記足型の側面と前記平面プレートに描かれた履物側面とが略合致する状態で、かつ、前記足型の手前に前記平面プレートを立てた状態で、かつ、前記正面視で人の視覚により前記平面プレートを介して前記足被覆衣類を認識できる状態で、前記平面プレートおよび前記足型を保持する保持機構とを含む。
【００１４】
好ましくは、前記平面プレートは、異なる種類の履物側面のイメージが描かれた複数の平面プレートから構成され、前記保持機構は、前記平面プレートが、前記正面視における前記展示台の幅方向に沿って摺動可能な状態で保持するように構成することができる。
さらに好ましくは、前記足型は、異なる種類の足被覆衣類を履かせるための複数の足型から構成され、前記保持機構は、前記足型が、前記正面視における前記展示台の幅方向に沿って摺動可能な状態で保持するように構成することができる。
【００１５】
さらに好ましくは、前記平面プレートは、異なる種類の履物側面のイメージが描かれた
複数の平面プレートから構成され、前記足型は、異なる種類の足被覆衣類を履かせるための複数の足型から構成され、前記保持機構は、前記平面プレートおよび前記足型の少なくとも一方が、前記正面視における前記展示台の幅方向に沿って摺動可能な状態で保持するように構成することができる。
【考案の効果】
【００１６】
本考案の足被覆衣類用展示台によれば、靴下等の足被覆衣類の展示に好適に用いられ、靴下等の足被覆衣類を履いて靴等の履物を履いたときにどのように見えるのかを確認できるとともに、複数の組合せにおける靴下等の足被覆衣類と靴等の履物との調和を簡単に比較することのできる、足被覆衣類用展示台を提供することができる。
【図面の簡単な説明】
【００１７】
【図１】本考案の実施の形態に係る足被覆衣類用展示台の全体を示す斜視図である。
【図２】図１の足被覆衣類用展示台の正面図であって、（Ａ）平面プレートおよび平面プレート保持機構のみの状態、（Ｂ）足型および足型保持機構のみの状態、（Ｃ）足型および足型保持機構と平面プレートおよび平面プレート保持機構とを重ねた状態を示す。
【図３】図１の足被覆衣類用展示台の上面図である。
【図４】図１の足被覆衣類用展示台の側面図であって、（Ａ）は平面プレートおよび平面プレート保持機構の拡大側面図、（Ｂ）は足型および足型保持機構の拡大側面図である。
【考案を実施するための形態】
【００１８】
以下、本考案の実施の形態に係る足被覆衣類用展示台（以下において単に靴下展示台と記載する）１０を、図面に基づき詳しく説明する。
なお、以下においては、靴下展示台１０に展示される足被覆衣類は、ロークルーソックス（最も一般的な靴下であって靴下ＷＨで示す）、アンクレット（足首くらいまでの長さの靴下であって靴下ＷＭで示す）、スニーカーソックス（ステップインソックスやベリーショートソックスと呼ばれ長さがとても短いのが特徴の靴下であって靴下ＷＬで示す）であるとして説明する。
【００１９】
さらに、靴下展示台１０で比較される履物は、履き口がくるぶし（踝）程度か少し上までの丈の運動靴であるミドルカットスニーカー（図中では無色透明な平面プレート１００（平面プレート１０４）に描かれたミドルカットスニーカーの有色透明のイメージを符号ＳＭで示す）、ミドルカットスニーカーよりも丈の短いローカットスニーカー（図中では無色透明な平面プレート１００（平面プレート１０６）に描かれたローカットスニーカーの有色透明のイメージを符号ＳＬで示す）、ミドルカットスニーカーよりも丈の長いハイカットスニーカー（図中では無色透明な平面プレート１００（平面プレート１０２）に描かれたハイカットスニーカーの有色透明のイメージを符号ＳＨで示す）であるとして説明する。
【００２０】
［靴下展示台の構造］
図１に示す靴下展示台１０の全体を示す斜視図（図１には靴下展示台１０についての正面視（正面図）方向、側面視（側面図）方向および幅方向を記載してある）、図２（Ａ）に示す靴下展示台１０の正面図（足型２００および足型保持機構２１０のみの状態）、図２（Ｂ）に示す靴下展示台１０の正面図（平面プレート１００および平面プレート保持機構１１０のみの状態）、図２（Ｃ）に示す靴下展示台１０の正面図（足型および足型保持機構と平面プレートおよび平面プレート保持機構とを重ねた状態）、図３に示す靴下展示台１０の上面図、および、図４（Ａ）に示す靴下展示台１０における足型および足型保持機構の拡大側面図、図４（Ｂ）に示す靴下展示台１０における平面プレートおよび平面プレート保持機構の拡大側面図を参照して、この靴下展示台１０の構造について説明する。
【００２１】
・全体構造
この靴下展示台１０は、大きくは、履物側面のイメージＳＨ、ＳＭ、ＳＬが有色で描かれた無色透明な平面プレート１００と、人の足の少なくとも側面を模した足型であって、その外面に靴下ＷＨ、ＷＭ、ＷＬを履かせるための足型２００と、靴下展示台１０の正面から見た正面視において足型２００の側面と平面プレート１００に描かれた履物側面とが
略合致する状態で、かつ、足型２００の手前に平面プレート１００を立てた状態で、かつ、正面視で人の視覚により平面プレート１００を介して靴下ＷＨ、ＷＭ、ＷＬを認識できる状態で、平面プレート１００を保持する平面プレート保持機構１１０および足型２００を保持する足型保持機構２１０とを含む。
【００２２】
ここで、平面プレート１００は、異なる種類の履物側面のイメージが描かれた複数の平面プレート（平面プレート１０２、平面プレート１０４および平面プレート１０６）から構成されており、平面プレート１００（より詳しくは平面プレート１０２）にハイカットスニーカーの有色透明のイメージＳＨが描かれ、平面プレート１００（より詳しくは平面プレート１０４）にミドルカットスニーカーの有色透明のイメージがＳＭが描かれ、平面プレート１００（より詳しくは平面プレート１０６）にローカットスニーカーの有色透明のイメージＳＬが描かれている。なお、描かれたイメージを除いて、平面プレート１０２、平面プレート１０４および平面プレート１０６は同じ構造を備え、描かれたイメージを区別しない場合には平面プレート１００として説明する。さらに、平面プレート１００（平面プレート１０２、平面プレート１０４および平面プレート１０６）は無色透明なプレートであって、その平面プレートに有色透明なイメージが描かれているので、図中においては平面プレートおよび履物側面のイメージを二点鎖線で示している。
【００２３】
また、足型２００は、異なる種類の靴下を履かせるための複数の足型（足型２０２、足型２０４および足型２０６）から構成され、たとえば、足型２００（より詳しくは足型２０２）にロークルーソックス（靴下ＷＨ）を履かせて、足型２００（より詳しくは足型２０４）にアンクレット（靴下ＷＭ）を履かせて、足型２００（より詳しくは足型２０６）にスニーカーソックス（靴下ＷＬ）を履かせる。なお、履かせる靴下を除いて、足型２０２、足型２０４および足型２０６は同じ構造を備え、履かせる靴下を区別しない場合には足型２００として説明する。
【００２４】
そして、平面プレート保持機構１１０は、正面視における靴下展示台１０の全幅方向に沿って平面プレート１００が摺動可能な状態で、平面プレート１００を保持している。なお、平面プレート保持機構１１０および足型保持機構２１０は、平面プレート１００および足型２００の少なくとも一方が、正面視における靴下展示台１０の幅方向に沿って摺動可能な状態で保持するものであればよい。また、平面プレート１００および足型２００の少なくとも一方または双方は、１つであっても構わない。
【００２５】
・平面プレート１００および平面プレート保持機構１１０
図１、図２（Ａ）、図３および図４（Ａ）に示すように、平面プレート１００は、側面視で立設面と平面とからなるＬ字形状の無色透明な樹脂製（たとえばアクリル樹脂製）であって、Ｌ字形状の立設面には上述したようにスニーカーの有色透明のイメージが描かれており、Ｌ字形状の平面は後述する平面プレート保持機構１１０の載置台１１２、載置台１１４、載置台１１６、載置台１１８の間隙に挟持されており、平面プレート１００は立てた状態で平面プレート保持機構１１０により保持されている。
【００２６】
平面プレート保持機構１１０は、４枚の平板形状の載置台１１２、載置台１１４、載置台１１６、載置台１１８が、靴下展示台１０の前面側の先端位置がずれるように（段々になるように）、靴下展示台１０の全幅に亘って設けられ、その両端は側壁１２０により保持されている。
そして、図４（Ａ）に示すように、これらの載置台１１２、載置台１１４、載置台１１６の先端には、図４（Ａ）に示すように、側面視で立設された突起部１１３、突起部１１５、突起部１１７をそれぞれ備え、この突起部１１３、突起部１１５、突起部１１７の角部内側面に、平面プレート１００の角部外側面を当接させることにより、靴下展示台１０における平面プレート１００の前後方向の位置が決定されている。なお、載置台１１８が突起部を備えていても構わない。
【００２７】
また、図４（Ａ）に示すように、平面プレート保持機構１１０において、載置台１１２と載置台１１４との間隙に平面プレート１０２が、載置台１１４と載置台１１６との間隙に平面プレート１０４が、載置台１１６と載置台１１８との間隙に平面プレート１０６が、それぞれ挟持されている。平面プレート１００のＬ字形状の平面は、平面プレート保持
機構１１０における平面形状の載置台１１２、載置台１１４、載置台１１６の上に載置させることにより、靴下展示台１０における平面プレート１００の上下方向の位置が決定されている。
【００２８】
ここで、平面プレート１００は、平面プレート保持機構１１０におけるどの間隙にも挟持することができるので、いずれかの間隙に１枚ずつ平面プレート１００を挟持させることにより、平面プレート保持機構１１０は、正面視における靴下展示台１０の全幅方向に沿って全ての平面プレート１００を摺動可能な状態で保持することができる。なお、全幅方向に沿って全ての平面プレート１００を摺動可能な状態で保持する構造は、上述の構造に限定されるものではない。
【００２９】
・足型２００および足型保持機構２１０
図１、図２（Ｂ）、図３および図４（Ｂ）に示すように、足型２００は、側面視で足側面形状の表側平板２２２（ここに靴下を履かせる）と、裏側平板２２４と、表側平板２２２と裏側平板２２４とを接続する上面平板２２２と、表側平板２２２と上面平板２２２とに接着された、スペーサー平板２２６とで構成される。なお、足型２００は、立体形状または半立体形状（靴下展示台１０の表面側のみ立体）であっても構わない。
【００３０】
足型２００は、側面視で下方が開放されたコ字形状の（無色透明なまたは有色（たとえば肌色）の）樹脂製（たとえばアクリル樹脂製）であって、裏側平板２２４（または表側平板２２２）とスペーサー平板２２６との間隙に、足型保持機構２１０の表側立設面２１２が挟持されており、足型２００はぶら下げた状態で足型保持機構２１０により保持されている。
【００３１】
足型保持機構２１０は、靴下展示台１０の幅方向に長い直方体形状であって、全て平面形状である、表側立設面２１２、裏側立設面２１４、側面２１６、リブ面２１８および底面（符号省略）を接着することにより構成されている。なお、リブ面２１８は補強のために設けられたものであって、必須の構成要件ではない。
この足型保持機構２１０は、その上面が開放されており、足型２００における裏側平板２２４とスペーサー平板２２６との間隙に足型保持機構２１０における表側立設面２１２が挟持されて、足型２００をぶら下げた状態で足型２００を保持する。
【００３２】
そして、図４（Ｂ）に示すように、足型２００における裏側平板２２４とスペーサー平板２２６との間隙に表側立設面２１２を挟持させることにより、靴下展示台１０における足型２００の前後方向の位置が決定されている。
また、図４（Ｂ）に示すように、足型２００における上面平板２２２により足型保持機構２１０における表側立設面２１２を当接させることにより、靴下展示台１０における足型２００の上下方向の位置が決定されている。
【００３３】
なお、足型保持機構２１０における、側面２１６とリブ面２１８との間（足型２０２の場合）、リブ面２１８とリブ面２１８との間（足型２０４の場合）、リブ面２１８と側面２１６との間（足型２０６の場合）において、正面視における靴下展示台１０の全幅方向に沿って摺動可能な状態で、足型保持機構２１０は足型２００を保持することができる。
ここで、足型保持機構２１０において、３枚の表側立設面２１２を靴下展示台１０の前後方向の位置がずれるように、靴下展示台１０の全幅に亘って設けること等により、平面プレート１１０と同じように、足型保持機構２１０は、正面視における靴下展示台１０の全幅方向に沿って全ての足型２００を摺動可能な状態で保持することができるようにしても構わない。なお、全幅方向に沿って全ての足型２００を摺動可能な状態で保持する構造は、上述の構造に限定されるものではない。
【００３４】
また、本実施の形態に係る靴下展示台１０においては、平面プレート１１０および／または足型２００を、側面２１６とリブ面２１８との間、または、リブ面２１８とリブ面２１８との間に収納することができる。
［靴下展示台を用いた展示方法］
上述した構造を備える靴下展示台１０の使用方法（靴下展示方法）について説明する。
【００３５】
まず、図２（Ａ）に示すように、異なる種類の靴のイメージを描いた平面プレート１００を、平面プレート保持機構１１０の載置台と載置台との間隙に挟持させて、３つの平面
プレート１００を平面プレート保持機構１１０に摺動自在に挟持させる。ここで、異なる種類の靴とは、靴の履き口の高さの違いのみならず、色彩および／または模様が違うものであっても構わない。
【００３６】
一方、図２（Ｂ）に示すように、異なる種類の靴下を履かせた３つの足型２００における裏側平板２２４とスペーサー平板２２６との間隙に、足型保持機構２１０における表側立設面２１２を挟持させて、３つの足型２００を足型保持機構２１０にぶら下げる。ここで、異なる種類の靴下とは、靴下の丈の長さの違いのみならず、色彩および／または模様が違うものであっても構わない。
【００３７】
そして、図２（Ｂ）に示す足型２００をぶら下げて保持している足型保持機構２１０の手前に、平面プレート１００を摺動自在に挟持した平面プレート保持機構１１０を、位置決めして設置する。このとき、図２（Ｃ）に示すように、靴下展示台１０の正面から見た正面視において足型２００の側面と平面プレート１００に描かれた履物側面とが略合致する状態で位置決めする。なお、平面プレート保持機構１１０と足型保持機構２１０とが一体的な構造を備える場合には、位置決めしてこれらを設置する必要はない。
【００３８】
この図２（Ｃ）に示すように、靴下展示台１０の正面から見た正面視において足型２００の側面と平面プレート１００に描かれた履物側面とが略合致しており、かつ、足型２００の手前に平面プレート１００が立設されているので、、正面視で人の視覚により平面プレート１００を介して足型２００に履かせた靴下を認識できる。このため、靴下と靴との調和を簡単に確認することができる。この場合において、平面プレート１００および足型２００は、正面視における靴下展示台１０の少なくとも１／３程度の幅方向に沿って摺動可能な状態で保持されているので（足型はリブ面２１８があるので全幅の１／３程度しか摺動できない）、平面プレート１００および足型２００の幅方向の位置を簡単に微調整することができるので、足型２００の側面と平面プレート１００に描かれた履物側面のイメージとを簡単に合致させることができる。
【００３９】
なお、平面プレート１００および足型２００の上下方向の位置については、足型２００の側面と平面プレート１００に描かれた履物側面のイメージとが合致するように位置決めされている。すなわち、平面プレート１００のＬ字形状の平面は、平面プレート保持機構１１０における平面形状の載置台１１２、載置台１１４、載置台１１６の上に載置させることにより、靴下展示台１０における平面プレート１００の上下方向の位置が決定され、足型２００における上面平板２２２により足型保持機構２１０における表側立設面２１２を当接させることにより、靴下展示台１０における足型２００の上下方向の位置が決定されるが、このように決定された位置が、足型２００の側面と平面プレート１００に描かれた履物側面のイメージとが合致する位置である。
【００４０】
そして、図２（Ｃ）に示す状態で、平面プレート１００は正面視における靴下展示台１０の全幅方向に沿って摺動可能な状態で保持されているので、平面プレート１０２、平面プレート１０４、平面プレート１０６を摺動させてロークルーソックスタイプの普通丈の靴下ＷＨを履かせた足型２０２の位置に合致させることにより、靴下ＷＨを履いた場合にハイカットスニーカー、ミドルカットスニーカーおよびローカットスニーカーを履いたときの状態を確認することができる。
【００４１】
さらに、平面プレート１０２、平面プレート１０４、平面プレート１０６を摺動させてアンクレットタイプの短い丈の靴下ＷＭを履かせた足型２０４の位置に合致させることにより、靴下ＷＭを履いた場合にハイカットスニーカー、ミドルカットスニーカーおよびローカットスニーカーを履いたときの状態を確認することができる。
さらに、平面プレート１０２、平面プレート１０４、平面プレート１０６を摺動させてスニーカーソックスタイプのさらに短い丈の靴下ＷＬを履かせた足型２０４の位置に合致させることにより、靴下ＷＬを履いた場合にハイカットスニーカー、ミドルカットスニーカーおよびローカットスニーカーを履いたときの状態を確認することができる。
【００４２】
また、ハイカットスニーカー側面のイメージが描かれた平面プレート１０２の位置に、ロークルーソックスタイプの普通丈の靴下ＷＨを履かせた足型２０２の位置を合致させることにより靴下ＷＨを履いた場合にハイカットスニーカーを履いたときの状態を確認し、
次いで（平面プレート１００を摺動させることなく）、足型２０２を足型２０４に置き換えて（足型は足型保持機構２１０にぶら下がっているだけであるので容易に置き換えることが可能）スニーカーソックスタイプのさらに短い丈の靴下ＷＬを履かせた足型２０４の位置に合致させることにより、靴下ＷＬを履いた場合にハイカットスニーカーを履いたときの状態を確認し、次いで、足型２０４を足型２０６に置き換えて靴下ＷＬを履いた場合にハイカットスニーカーを履いたときの状態を確認することができる。これにより、靴下ＷＨ、靴下ＷＭ、靴下ＷＬを履いた場合にハイカットスニーカーを履いたときの状態を簡単に確認することができる。
【００４３】
同じようにして、靴下ＷＨ、靴下ＷＭ、靴下ＷＬを履いた場合にミドルカットスニーカーを履いたときの状態を簡単に確認することも、靴下ＷＨ、靴下ＷＭ、靴下ＷＬを履いた場合にローカットスニーカーを履いたときの状態を簡単に確認することもできる。
以上のようにして、本実施の形態に係る靴下展示台１０によると、靴下を履いて靴を履いたときにどのように見えるのかを確認できるとともに、靴下と靴との複数の組合せにおける調和を簡単に比較することができる。ここで、本考案において靴下と靴との調和を比較することと、コンピュータグラフィック等を用いて仮想的に靴下と靴との調和を比較することとの差異について、補足的に説明する。コンピュータグラフィックを用いれば、靴下と靴との調和を仮想的にかつ簡単に比較することができるのであるが、あくまでも仮想的であってコンピュータに接続されたモニタを通して視覚により認識できる見え方は現実の見え方とは異なることに起因して、また、靴下の素材の違い等による見え方の違いに起因して、靴下と靴との調和を比較した結果をコンピュータグラフィックで（人の視覚に対して忠実に）表現することは困難である。このような点で、コンピュータグラフィックを用いて靴下と靴との調和を仮想的に比較することは十分なものではない。
【００４４】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００４５】
本考案は、靴下等の足被覆衣類の展示に好適であり、靴下等の足被覆衣類を履いて靴等の履物を履いたときにどのように見えるのかを確認できるとともに、複数の組合せにおける靴下等の足被覆衣類と靴等の履物との調和を簡単に比較することができる展示に特に好適である。
【符号の説明】
【００４６】
１０  足被覆衣類用展示台（靴下展示台）
１００（１０２、１０４、１０６）  平面プレート
１１０  平面プレート保持機構
２００（２０２、２０４、２０６）  足型
２１０  足型保持機構
【図２】
0003195352.tif 000003
【図４】
0003195352.tif 000004
【図１】
0003195352.tif 000005
【図３】
0003195352.tif 000006